(57)【要約】      （修正有）【課題】クレセントによる障子の閉鎖によりながらも、ＪＩＳに規定される「Ｔ−２」を満足し、構造が簡素で、現場調整がほとんど不要なものとする。【解決手段】内外障子の召し合わせ框部分まで延在するカバー材３０と、カバー材３０上に配設され、室外と室内との気密を図る下部気密ブロック４０と、内外障子の召し合わせ框の上部に設けられ、サッシ上枠との間において室外と室内との気密を図る上部気密ブロック６０とを備え、外障子２０の左框の外レールより室内側とサッシ縦枠との間、内障子１０の右框の内レールより室内側とサッシ縦枠との間、内外障子１０、２０の召し合わせ框相互の間、外障子の下框の室内側面と前記カバー材３０との間、内障子１０の下框の室内側面とサッシ下枠の室内側立ち上がり壁との間、外障子２０の上框と外上レールとの間、および内障子１０の上框と内上レールとの間をそれぞれヒレタイト材で気密にシールしている。【選択図】図１
2005048587.tif 000002
【特許請求の範囲】
【請求項１】
サッシ枠内に引違い障子が走行自在に設けられたサッシにおいて、
内外障子の閉鎖状態における内外の下レール間にあって、内障子の下レールの外面とサッシ下枠とを囲み、内外障子の召し合わせ框部分まで延在するカバー材と、内外障子の召し合わせ框の下部において前記カバー材上に配設され、室外と室内との気密を図る下部気密ブロックと、内外障子の召し合わせ框の上部に設けられ、サッシ上枠との間において室外と室内との気密を図る上部気密ブロックとを備え、
室内側から見た基準で、外障子の左框の外レールより室内側とサッシ縦枠との間、内障子の右框の内レールより室内側とサッシ縦枠との間、内外障子の召し合わせ框相互の間、この下方にあって外障子の下框の室内側面と前記カバー材との間、内障子の下框の室内側面とサッシ下枠の室内側立ち上がり壁との間、外障子の上框と外上レールとの間、および内障子の上框と内上レールとの間をそれぞれヒレタイト材で気密にシールしている、
ことを特徴とする防音サッシ。
【請求項２】
さらに、サッシ枠の内外上レールより室内側部分において、内外障子の上端との間に置いて室内外の気密を図るヒレタイト材からなる気密部材を含む、請求項１記載の防音サッシ。
【発明の詳細な説明】
【技術分野】
【０００１】
本発明は、サッシ枠内に引違い障子が走行自在に設けられた防音サッシに関する。
【背景技術】
【０００２】
近年、交通量の増大に伴って、サッシの防音性の関心が高まっている。この防音性は、サッシの気密性能として把握できる。
【０００３】
このために通常は、窓枠の内外障子の室内側面に対向して、窓枠の四周にガスケットを設け、グレモンの操作によりそれぞれ障子をガスケットを圧着するように窓枠に引き寄せることにより遮音性を高めている。
【０００４】
しかし、この種の構造では、複雑な現場調整が必要となるばかりでなく、障子の開閉が重いものとなる問題がある。また、幹線道路沿いの窓ではグレモンハンドルの窓とし、その他の方角の窓ではクレセントの窓としているので、室内から見た意匠の統一が図れない問題もある。
【発明の開示】
【発明が解決しようとする課題】
【０００５】
したがって、本発明の課題は、クレセントによる障子の閉鎖によりながらも、ＪＩＳ  Ａ  ４７０６（サッシ）に規定される「Ｔ−２」（３０等級線）を満足し、構造が簡素で、現場調整がほとんど不要な防音サッシを提供することにある。
【課題を解決するための手段】
【０００６】
上記課題を解決した本発明の請求項１記載の発明は、サッシ枠内に引違い障子が走行自在に設けられたサッシにおいて、
内外障子の閉鎖状態における内外の下レール間にあって、内障子の下レールの外面とサッシ下枠とを囲み、内外障子の召し合わせ框部分まで延在するカバー材と、内外障子の召し合わせ框の下部において前記カバー材上に配設され、室外と室内との気密を図る下部気密ブロックと、内外障子の召し合わせ框の上部に設けられ、サッシ上枠との間において室外と室内との気密を図る上部気密ブロックとを備え、
室内側から見た基準で、外障子の左框の外レールより室内側とサッシ縦枠との間、内障子の右框の内レールより室内側とサッシ縦枠との間、内外障子の召し合わせ框相互の間、この下方にあって外障子の下框の室内側面と前記カバー材との間、内障子の下框の室内側面とサッシ下枠の室内側立ち上がり壁との間、外障子の上框と外上レールとの間、および内障子の上框と内上レールとの間をそれぞれヒレタイト材で気密にシールしている、
ことを特徴とする防音サッシである。
【０００７】
請求項２記載の発明は、さらに、サッシ枠の内外上レールより室内側部分において、内外障子の上端との間に置いて室内外の気密を図るヒレタイト材からなる気密部材を含む、請求項１記載の防音サッシである。
【発明の効果】
【０００８】
本発明によれば、クレセントによる障子の閉鎖によりながらも、ＪＩＳ  Ａ  ４７０６（サッシ）に規定される「Ｔ−２」（３０等級線）を満足することを確認できたものである。そして、本発明によれば、構造が簡素で、現場調整がほとんど不要な防音サッシを得ることができる。
【発明を実施するための最良の形態】
【０００９】
以下本発明を図面に示す実施の形態によってさらに詳説する。なお、図面の図６、図７および図１２は、縦断面と室外側から見た正面、平面、および平面との複合説明図であり、図１２〜図１４は部材の相対関係説明図である。
図１および図２はサッシの全体図を示し、サッシの上下枠１、２および室内側から見た基準（以下左右なる文言は同じ基準）で左右縦枠３，４を備え、これに内障子１０および外障子２０からなる引違い障子が、それぞれ、戸車を介して内上レール５Ａ、内下レール５Ｂに、外上レール６Ａ、外下レール６Ｂに沿って走行自在に設けられている。
【００１０】
＜召し合わせ框部分の等圧構造を中心とした気水密構造について＞
図２および図３を中心として、内外障子１０，２０の召し合わせ框１１，２１の部分に注目すると、召し合わせ框１１，２１の室外および室内には係合片１２，２２が形成され、これらは内外障子１０，２０の閉鎖時において相互に係合するように煙返し部を構成している。
【００１１】
また、内障子１０の召し合わせ框１１の室外側面に、より具体的には係合片１２より左框２５側には、２つのヒレ部を有し、その先端が外障子２０の召し合わせ框２１室内側面に接する封止用シール材５１が取り付けられている。これらの煙返し部、内障子１０の召し合わせ框１１の室外側面、封止用シール材５１および外障子２０の召し合わせ框２１室内側面による仕切り要素により高さ方向の閉鎖等圧空間Ｓが形成されている。
【００１２】
さらに、図３にはシール材５１の上下端部には（下部のみが図示されている）、図３および図１９も参照されるように、当該シール材５１の基部を保持し、かつ室外から室内への気密を図るために外障子２０の召し合わせ框２１の室内面に接するヒレ部５２ａを有するシール材５２が内障子１０の召し合わせ框１１の室外面に係合状態で取り付けられている。
【００１３】
図３に示された２つのヒレ部を有するヒレタイト材形式の封止用シール材５０は、その長いヒレ部が内障子１０のガラス外面に接して主に防虫機能と止水効果を生じるシールである。
【００１４】
他方、図４〜図１４も参照すると、内外障子の閉鎖状態における内外下レール５Ｂ，６Ｂの間にあって、内障子の下レール５Ｂの外面とサッシ下枠２とを囲み、左縦枠３から外障子２０の召し合わせ框２１部分まで延在するカバー材３０が、サッシ下枠２上に乗って、ネジ３０ａにより（図１参照）内下レール５Ｂに止め付けられている。
【００１５】
また内外障子の召し合わせ框１１，２１の下部において、具体的には内下レール５Ｂと外障子２０の下框２４の室内側面との間において、前記カバー材３０上に乗って下部気密ブロック４０が配設されている。この下部気密ブロック４０の上面と室外側側面には、先端に見込み方向に沿うヒレ部４２，４２…が見付け方向に間隔を置いて複数形成され、下部気密ブロック４０の上面のヒレ部４２，４２…は、外障子２０の召し合わせ框２１の係合部２２の下端、および内障子１０の召し合わせ框１１の下端に接するようにしてある。下部気密ブロック４０の側面のヒレ部４２，４２…は、外障子２０の召し合わせ框２１の室内側面に接するようにしてある。
【００１６】
また、下部気密ブロック４０は、内下レール５Ｂとの間の密封性を高めるために、介在板４０Ａが内下レール５Ｂの室外面との間に介在して内下レール５Ｂに係止されている。
【００１７】
この下部気密ブロック４０は前記カバー材３０上にあって室外と室内との気密を図るものであり、この下部気密ブロック４０には前記閉鎖等圧空間Ｓに連なる透孔４１が形成されている。
【００１８】
図４および図５に示されているように、前記カバー材３０はそのサッシ中央側端が外気に連なって開口しており、かつ前記透孔４１を超えて延在している。カバー材３０の上面には、たとえば前記透孔４１と同一平面形状をもって通気孔３１が形成されており、この通気孔３１が透孔４１に連なっている。その結果、カバー材３０のサッシ中央側端の開口と、通気孔３１と、透孔４１と前記閉鎖等圧空間Ｓが連通している。３０ｂは下部気密ブロック４０の取り付け足４３が挿通係止される係止穴、３０ｃはカバー材３０を強固に固定するための取り付け用ビス３０ａの挿通孔である。
【００１９】
ここに、実施の形態においては、カバー材３０と下部気密ブロック４０とが下部気密手段を構成している。そして、カバー材３０のサッシ中央側端の開口と、通気孔３１と、透孔４１とが、外気と閉鎖等圧空間Ｓとを連通する連通路を構成している。したがって、この連通路を構成している限り、カバー材３０と下部気密ブロック４０とに相当する部材により下部気密手段を構成でき、また適宜のこれらに相当する一体的な部材により構成することもできる。
【００２０】
前記閉鎖等圧空間Ｓは上方に開口している。しかるに、内外障子１０、２０の召し合わせ框１１、２１の上部に、図１３および図１４に詳細形状を示す上部気密ブロック６０が設けられており、サッシ上枠１との間において室外と室内との気密を図っている。この上部気密ブロック６０は、図１に図示されているサッシ上枠１のリップ溝に係合されて保持され、サッシ上枠１にビス６０ａ止めされている。この上部気密ブロック６０の中央下端面には、先端に見込み方向に沿うヒレ部６１，６１…が見付け方向に間隔を置いて複数形成されており、召し合わせ框１１、２１の上端に跨って接するようになっている。
【００２１】
図１３に示されるように、上部気密ブロック６０は、閉鎖等圧空間Ｓの上端開口を覆っているものの封止の関係にはなく、したがって閉鎖等圧空間Ｓは上方に開口して外気に連通させながら、召し合わせ框１１、２１の上端とサッシ上枠１との間において、室外と室内との気密を図っている。上部気密ブロック６０は、前記閉鎖等圧空間Ｓの上端の少なくとも一部を開口させておればよく、全体を開口させておくことも可能である。
【００２２】
このように構成された等圧構造においては、雨水が煙返し部から侵入しようとしても、カバー材３０のサッシ中央側端の開口と、通気孔３１と、透孔４１とが、外気と閉鎖等圧空間Ｓに連通し、かつこの閉鎖等圧空間Ｓの上端は外気に連通しているので、雨水の侵入が防止される。
【００２３】
＜防音性に関する構造について＞
本発明に係る防音サッシにおいては、第１の条件が、内外障子１０、２０の閉鎖状態における内外の下レール５Ｂ、６Ｂ間にあって、内障子１０の下レール５Ｂの外面とサッシ下枠２とを囲み、内外障子１０、２０の召し合わせ框１１、２１部分まで延在するカバー材３０を備えることである。第２の条件は、内外障子１０、２０の召し合わせ框１１、２１の下部において前記カバー材３０上に配設された室外と室内との気密を図る下部気密ブロック４０を備えること、第３の条件は、内外障子１０、２０の召し合わせ框１１、２１の上部に設けられ、サッシ上枠１との間において室外と室内との気密を図る上部気密ブロック６０とを備えることである。
【００２４】
他の条件は、図１および図２に示すように、室内側から見た基準で、外障子２０の左框２５の外レール６Ａ、６Ｂより室内側とサッシ縦枠３との間がヒレタイト材９１で気密にシールされ；内障子１０の右框１３の内レール５Ａ、５Ｂより室内側とサッシ縦枠４との間がヒレタイト材９２で気密にシールされ；外障子２０の下框２４の室内側面と前記カバー材３０との間がヒレタイト材９３で気密にシールされ：ならびに内外障子１０、２０の召し合わせ框１１、２１相互の間が前述のヒレタイト形式のシール材５１で気密にシールされ；内障子１０の下框１３の室内側面とサッシ下枠２の室内側立ち上がり壁２ａとの間がヒレタイト形式のシール材９４により気密にシールされ；外障子２０の上框２６と外上レール６Ａとの間がシール材９５により気密にシールされ；および内障子１０の上框１４と内上レール５Ａとの間がシール材９６により気密にシールされ；ていることである。
【００２５】
上述の構成によれば、内外障子１０、２０のそれぞれの四周がシールされることとなる。
【００２６】
さらに、図２０および図２１に示すように、サッシ上枠２の内外上レール５Ａ、６Ｂより室内側部分において、内外障子１０、２０の上端との間に置いて室内外の気密を図るヒレタイト材形式のからなるシール部材９７、９８によっても気密にシールすることが好ましい。
【００２７】
ここに、前記シール部材９７、９８は、先端に見込み方向に沿うヒレ部９７ａ、９８ａが見付け方向に間隔をおいて複数形成され、それぞれ外障子１０の左框２５、および内障子１０の右框１３部分に対応した位置においてサッシ上枠１に固定され、前記ヒレ部９７ａ、９８ａがそれぞれ外障子の左框２５および内障子の右框１３に接する関係に構成することができる。
【００２８】
さらに、図１５および図１６に示すように、内外障子１０、２０の召し合わせ框１１、２１下部に内外下レール５Ｂ、６Ｂを取り囲んで室内外の気密を図る気密部材７０を含むことが望ましい。気密部材７０は鞍状をなしその両端部にアーチ状のヒレ部７０ａを有し、このヒレ部７０ａが内外下レール５Ｂまたは６Ｂに接する。また、さらに、図１７および図１８に示すように、内外障子１０、２０の召し合わせ框１１、２１上部に内外上レール５Ａ、６Ａを取り囲んで室内外の気密を図る気密部材８０を含むことが望ましい。気密部材８０は天地逆の鞍状をなし、その中央部にモヘヤ８０ａ，８０ａを有し、このモヘヤ８０ａ，８０ａが内外上レール５Ａまたは６Ａに両側から接する。これらの気密部材７０および気密部材８０は、見付け方向他端（サッシ縦枠３、４側）にも設けることができる。
【００２９】
これらの構成により、室内に音波侵入の可能性のある部位を音響的に遮断できる。また、その部位における内外障子１０、２０の動きにより接離する部分は、ガスケットにより気密を図るのではなく、ヒレタイト形態の気密シールを図っているので、内外障子１０、２０の動きがスムースである。しかも、これらのシール材または気密部材は内外障子１０、２０またはサッシ枠の所定の位置に取り付け固定すればよいので、現場での調整は不要となる。
【００３０】
内外障子１０、２０の閉止にはクレセントを用いることで足り、グレモンによるサッシ枠への引き寄せ操作は不要である。
【００３１】
ところで、気密部材７０、８０を召し合わせ框１１、１２の上下端部に嵌め込んで設けると、レールの走行溝を切り欠くことによる召し合わせ框１１、１２の上下端部の補強効果がある。さらに、介在板４０Ａを内下レール５Ｂの中央部室外面に設けると、正圧を受けたときにおいて、召し合わせ框１１の下端部が変形して、室内側に寄ってしまうのを規制する。その結果、シール用ヒレ部７０ａと内下レール５Ｂの接触位置に保たれ、水密性および気密性の安定性が確保される。
【００３２】
＜ロール網戸の設置形態について＞
たとえば、図２２〜図２５の形態をもって、内外障子１０、２０を開放したときサッシ枠との間に展開されるロール網戸を内外障子１０、２０に取り付けることができる。内外障子１０、２０には網戸要素１０３の展開・収納部１０１、１０２が固定され、それぞれ網戸要素１０３がサッシ枠３および４との間に展開される。このロール網戸そのものの構成は公知であるので、説明を省略する。
【００３３】
なお、図１０および図１１に示すように、内下レール５Ｂの室外側には網戸要素１０３面と当たるファスナーを設けるための溝部５Ｂ１が形成される。また、下部気密ブロック４０の上部は溝部５Ｂ１の高さ方向位置にある。したがって、その部分ではファスナーを連続化させることはできない。そこで、前述の介在板４０Ａを設けることにより、内下レール５Ｂとの間の気密性を確保し、かつ介在板４０Ａにより肉薄の溝部５Ｂ１の不連続部分の補強を図っている。
【図面の簡単な説明】
【００３４】
【図１】サッシ構造の縦断面図である。
【図２】水平断面図である。
【図３】召し合わせ框部分の水平断面図である。
【図４】カバー材の斜視図である。
【図５】上部気密ブロックとカバー材との関係の斜視図である。
【図６】縦断面と室外側から見た正面図の複合説明図である。
【図７】縦断面と平面図の複合説明図である。
【図８】カバー材の側面図である。
【図９】カバー材の裏面図である。
【図１０】サッシ下枠部分の側面図である。
【図１１】介在板の正面図である。
【図１２】部材の相対関係説明図である。
【図１３】他の、部材の相対関係説明図である。
【図１４】別の、部材の相対関係説明図である。
【図１５】内召し合わせ框下部の平面図である。
【図１６】下部気密部材の側面図である。
【図１７】内召し合わせ框上部の平面図である。
【図１８】上部気密部材の側面図である。
【図１９】シール材の内召し合わせ框との関係図である。
【図２０】端部上シール材の縦断面図である。
【図２１】その平面図である。
【図２２】ロール網戸の側面図である。
【図２３】平面図である。
【図２４】外障子の開放状態平面図である。
【図２５】内障子の開放状態平面図である。
【符号の説明】
【００３５】
１…上枠、２…下枠、３…左縦枠、４…右縦枠、１０…内障子、１１…内召し合わせ框、１２…係合片、２０…外障子、２１…外召し合わせ框、２２…係合片、３０…カバー材、３１…通気孔、４０…下部気密ブロック、５１…封止シール材、６０…上部気密ブロック、９１〜９８…シール材、Ｓ…閉鎖等圧空間。
【図１】
2005048587.tif 000003
【図２】
2005048587.tif 000004
【図３】
2005048587.tif 000005
【図４】
2005048587.tif 000006
【図５】
2005048587.tif 000007
【図６】
2005048587.tif 000008
【図７】
2005048587.tif 000009
【図８】
2005048587.tif 000010
【図９】
2005048587.tif 000011
【図１０】
2005048587.tif 000012
【図１１】
2005048587.tif 000013
【図１２】
2005048587.tif 000014
【図１３】
2005048587.tif 000015
【図１４】
2005048587.tif 000016
【図１５】
2005048587.tif 000017
【図１６】
2005048587.tif 000018
【図１７】
2005048587.tif 000019
【図１８】
2005048587.tif 000020
【図１９】
2005048587.tif 000021
【図２０】
2005048587.tif 000022
【図２１】
2005048587.tif 000023
【図２２】
2005048587.tif 000024
【図２３】
2005048587.tif 000025
【図２４】
2005048587.tif 000026
【図２５】
2005048587.tif 000027